(57)【要約】【課題】入院患者や高齢者等が、転倒することなく、安定して掴まることができ、使用勝手に優れ、安定してベッドから立ち上がり、ベッドサイドを移動することのできる安全掴まり補助具を提供する。【解決手段】ベッド１のサイドフレーム２に形成された取り付け穴３ａ〜３ｈに差し込まれる支柱１１と、この支柱１１に環装される球状の弾性体１２と、この球状の弾性体１２を前記支柱１１の任意の高さ位置に固定する固定手段１３を設ける。【選択図】図１
0003108176.tif 000002
【実用新案登録請求の範囲】
【請求項１】
ベッドのサイドフレームに形成された取り付け穴に差し込まれる支柱と、この支柱に環装される球状の弾性体と、この球状の弾性体を前記支柱の任意の高さ位置に固定する固定手段とを設けてなる安全掴まり補助具。
【請求項２】
前記球状の弾性体は、直径が５ｃｍ〜１５ｃｍであることを特徴とする請求項１記載の安全掴まり補助具。
【請求項３】
前記球状の弾性体は、硬度が３５度〜７０度であることを特徴とする請求項１または２に記載の安全掴まり補助具。
【請求項４】
前記球状の弾性体は、表面が蛍光色であることを特徴とする請求項１ないし３に記載の安全掴まり補助具。
【請求項５】
前記球状の弾性体は、着脱式の保護カバーが装着されることを特徴とする請求項１ないし４に記載の安全掴まり補助具。
【請求項６】
前記球状の弾性体は、表面に凹凸部が形成されていることを特徴とする請求項１ないし５に記載の安全掴まり補助具。
【考案の詳細な説明】
【技術分野】
【０００１】  本考案は、安全掴まり補助具に関し、特に入院患者や高齢者等のベッドからの立ち上がりの補助や、ベッドの周囲の身の回り品をとるための体の移動の補助に使用する安全掴まり補助具に関する。
【背景技術】
【０００２】  病院の入院患者や高齢者等で、特に足腰の弱い人・足腰の痛い人がベッドから立ち上がったり、ベッドの周囲の身の回り品をとるために移動したりする場合、自身の体の転倒を防ぐため、補助を必要とする場合が多い。そのような補助具として、たとえば、ベッド等のサイドフレームに取り付けられる側柵を利用したり、実開平６−６６６５８号公報に開示される介助バーなどがある。
【考案の開示】
【考案が解決しようとする課題】
【０００３】  しかし、側柵の場合、高さや長さが定まっている場合が多く、使用者によっては掴まる位置が低かったり高かったりして安定した姿勢で立ち上がり・移動ができず、必ずしも使い勝手がよいとはいえない。【０００４】  また、実開平６−６６６５８号公報に開示される介助バーの場合、ベッド等のサイドフレームに、異なる寸法・形状を有する中空のポール部材を適宜選択的に組み合わせてジョイント部材により連結構成し、支柱と梁を構成するようにしているため、設備が大型・複雑化し、個々の使用者が自分の体格や使用の目的に応じて気軽に使えるものにはなっておらず、設備費用も比較的多く掛かりやすい。【０００５】  本考案は、入院患者や高齢者等が、転倒することなく、安定して掴まることができ、使用勝手に優れ、安心して立ち上がり、ベッドサイドを中心として移動することのできる安全掴まり補助具を提供することを目的とする。【０００６】  また、本考案は、設備を簡素化して、費用の低廉化を図ることのできる安全掴まり補助具を提供することを目的とする。
【課題を解決するための手段】
【０００７】  上記の課題を解決するために、本考案の安全掴まり補助具は、ベッドのサイドフレームに形成された取り付け穴に差し込まれる支柱と、この支柱に環装される球状の弾性体と、この球状の弾性体を前記支柱の任意の高さ位置に固定する固定手段を設ける構成とした。【０００８】  本考案の安全掴まり補助具によると、ベッドのサイドで支柱に固定した球状の弾性体を安定して掴むことにより、入院患者等がベッドから安定して立ち上がり、また、ベッドの周囲に安定した姿勢で移動することができる。球状の弾性体は、固定手段により、使用者の身長や体躯に合わせて、起立時・移動時に使用者が最も掴まりやすい高さに固定することができ、安定した姿勢をとることができる。ベッド端に座位した状態から立ち上がるには、使用者の肩付近の高さに球状の弾性体を位置させることが、最も安定して楽な姿勢で立ち上がることができる。【０００９】  球状の弾性体は、球状をなして手の平にフィットしやすく、安定して掴みやすい。また、弾力性をもち触り心地がよい。この球状の弾性体は、球体の他、球体に近い多面体（１６面体、３２面体など）、上半部だけが球状の半球体、楕円球体等を含む。【００１０】  前記球状の弾性体は、直径が５ｃｍ〜１５ｃｍであることが望ましい。直径が５ｃｍ未満であると、使用者の手の平と球状の弾性体との間に隙間が形成されやすい。直径が５ｃｍ以上であると、球状の弾性体を安定して掴みやすい。また、直径が１５ｃｍを越すと、使用者の手の平を大きく開かざるを得ない。直径が１５ｃｍ以下であると、使用者の手の平を大きく開かずにすみ、球状の弾性体を安定して掴みやすい。特に使用者が握力の弱い者であれば、５ｃｍ〜１５ｃｍの範囲が安定して掴みやすい。【００１１】  前記球状の弾性体は、硬度が３５度〜７０度であることが望ましい。硬度が３５以上であると、球状の弾性体が柔らかすぎず、適度な弾力性に富み、安定して掴みやすい。また、硬度が７０度以下であると、球状の弾性体が硬すぎることなく、手の平によく馴染み、掴み心地がよい。さらに好ましくは４５度〜６０度がよい。【００１２】  前記球状の弾性体は、表面が蛍光色であることが望ましい。表面が蛍光色であることにより、たとえば消灯後のベッドサイドの灯り程度の薄暗い室内であっても、球状の弾性体を掴む際の目印となり、夜間のベッドサイドのトイレ使用時などにも安全に起立、移動することができる。【００１３】  前記球状の弾性体は、着脱式の保護カバーが装着されることが望ましい。着脱式の保護カバーを装着することにより、さらに衛生面で有利となる。【００１４】  前記球状の弾性体は、表面に凹凸部が形成されていることが望ましい。表面に凹凸部が形成されることで、たとえば、親指から小指にかけて球状弾性体の表面の掴む部位に略指の形に凹部を形成し、指の形の間に凸部が形成されることで、より安定して掴むことができる。
【考案の効果】
【００１５】  本考案の安全掴まり補助具によると、ベッドのサイドフレームに形成された取り付け穴に差し込まれる支柱と、この支柱に環装される球状の弾性体と、この球状の弾性体を前記支柱の任意の高さ位置に固定する固定手段とを設ける構成としたから、入院患者や高齢者等が転倒することなく、球状の弾性体に安定して掴まることができ、ベッドから安定して立ち上がり、ベッドサイドを中心として移動することができ、使用勝手に優れる効果を奏する。【００１６】  また、本考案の安全掴まり補助具によると、支柱をサイドフレームの取り付け穴に差し込むだけでよく、設備を簡素化して、費用の低廉化を図ることができる効果を奏する。
【考案を実施するための最良の形態】
【００１７】  以下、本考案の安全掴まり補助具について、第１の実施の形態を図１ないし図３を参照して説明する。【００１８】  図１は、ベッド１のサイドフレーム２に本考案の安全掴まり補助具１０が装着されている状態を示している。ベッド１の左右両側のサイドフレーム２、２の各上面には、図１および図３に示すように、それぞれベッド１の頭部側から足元側にかけて多数（本実施形態では８個）の取り付け穴３（３ａ、３ｂ、３ｃ、３ｄ、３ｅ、３ｆ、３ｇ、３ｈ）が形成されている。この取り付け穴３は側柵用の取り付け穴をそのまま利用することができる。【００１９】  本考案の安全掴まり補助具１０は、ベッド１の頭部に向かって左側のサイドフレーム２の、ベッド１の頭部側から４番目の取り付け穴３ｄに装着されている。同安全掴まり補助具１０は、前記取り付け穴３ｄに差し込まれ床面２０から垂直上方に延びる支柱１１と、この支柱１１に環装される球状弾性体１２と、この球状弾性体１２を前記支柱１１の任意の高さ位置に固定する固定手段１３とから構成されている。【００２０】  前記支柱１１は、ステンレス、アルミニウム、樹脂等の比較的軽量の材質からなり、中空円筒状の支柱本体１１ａと、この支柱本体１１ａの上方開口部に対し上方から昇降自在に挿入される昇降部材１１ｂとから構成されている。昇降部材１１ｂの上端付近には点滴等を吊り下げるためのフック部１４ａを有する一対の吊り下げバー１４が、それぞれヒンジ部１４ｂを介して設けられている。各吊り下げバー１４はヒンジ部１４ｂを軸として水平位置から図１に示す直立位置に回動可能とされ、直立位置でバンド等の係止手段によって互いに係止され、直立位置を保持できるようになっている。直立位置を保持することにより、フック部１４ａを使用しないときはバーが邪魔にならないようになっている。なお、フック部１４ａを使用するときは係止手段による係止手段を解除し吊り下げバー１４を水平位置に戻すようにする。【００２１】  昇降部材１１ｂは、操作つまみ１５の締まり操作により、支柱本体１１ａに対する高さ方向の相対位置を固定することができる。操作つまみ１５の軸部１５ａにはねじが切られ、軸部１５ａが支柱本体１１ａの外周上端付近に突設された筒部１５ｂの内周面に螺合し、操作つまみ１５を締まり方向に回すことにより、軸部１５ａが前進移動し、昇降部材１１ｂを支柱本体１１ａの内周面に押圧して固定する。一方、操作つまみ１５の緩め操作により、軸部１５ａが後退移動し、昇降部材１１ｂの押圧固定が解除される。【００２２】  前記球状弾性体１２は、中空球状または中実球状の弾性部材からなるコアとその周囲を覆う外皮から構成されている。弾性部材の材質としては、天然または合成ゴム、ウレタン系樹脂等を適用することができる。弾性部材の硬度は３５度〜７０度、好ましくは４５度〜６０度である。外皮はフェルトから成り、接着剤等によってコアの表面に固定されている。【００２３】  この球状弾性体１２の大きさは、図２に示すように、ちょうど使用者（大人）２１の手２２の平で掴まる程度の大きさ（直径約６ｃｍ〜７ｃｍ）を有している。例えば未使用または使用済みの硬式テニスボールを利用することができる。なお、球状弾性体１２の表面の、���指から小指にかけて掴む部位に、略指の形に凹部を形成し、指の形の間に凸部を形成するようにしてよい。安定した掴まり状態を確実なものとすることができる。【００２４】  球状弾性体１２の表面外皮は着色剤として蛍光色を有する。この外皮のフェルトに二酸化チタン等の光触媒粒子を含んだ液状体を塗布して光触媒効果を与えてもよい。光触媒により長期に亘り球状弾性体の表面を初期の清浄な状態に維持して、防臭性・抗菌性・防汚性等を与えることができる。【００２５】  球状弾性体１２には前記支柱１１の支柱本体１１ａに球状弾性体１２を環装することができるように上下方向に延びる貫通孔１２ａ（図１参照）が形成されている。【００２６】  前記固定手段１３は、前記支柱本体１１ａの任意の高さ位置に取り付けられる筒状体１３ａからなり、操作つまみ１６（図２参照）の締まり操作・緩め操作により筒状体１３ａを支柱本体１１ａに係止・解除することができる。固定手段１３は、球状弾性体１２を支柱本体１１ａの任意の高さ位置に固定できればよく、市販の密着テープを複数回、支柱本体１１ａの周囲に巻回して支柱本体１１ａの外周面に段部を形成し、この段部を固定手段としてもよい。【００２７】  図１において、符号４はサイドフレーム２の下方に位置するフレーム本体、符号５はフレーム本体４の四隅に装備されたキャスター（車輪）、符号６はフレーム本体４の上面に設置されたマットをそれぞれ示す。【００２８】  次に、上記のように構成された安全掴まり補助具１０の使用方法について説明する。【００２９】  図１の安全掴まり補助具１０はベッド１の頭部側から数えて４番目の取り付け穴３ｄに装着されている。使用者はベッド端に座位した状態で右手でちょうど肩付近の高さに位置する球状弾性体１２を掴み、立ち上がればよい。このとき使用者の右手は、図２に示すように、支柱本体１１ａを親指と人差し指乃至薬指で挟み、さらに、親指から小指全体に至る手の平全体で球状弾性体１２を上から覆うようにして掴めば、余分な握力もかからず安定して掴むことができる。【００３０】  球状弾性体１２の位置を上下に調整したい場合は、操作つまみ１５を緩め、自分にとって最も掴みやすい位置あるいは最も起立しやすい位置に球状弾性体１２が位置するように、筒状体１３ａを適宜上げ下し、操作つまみ１５を締めて筒状体１３ａを固定すればよい。【００３１】  使用者は、安定した姿勢で立ち上がり動作に移ることができ、効率よく立ち上がることができる。また、ベッドから離れるときにバランスを崩すことなく、自力で例えばベッドとベッド脇のポータブルトイレ間を移動することができる。【００３２】  使用者が、ベッド１の頭部側に向かって右側から起立等する場合には、同右側のサイドフレーム２の取り付け穴３ａ〜３ｈに安全掴まり補助具１０を装着する。【００３３】  安全掴まり補助具１を使用しないときは、最もじゃまになりにくい位置、たとえばベッド１の足元側の最も遠い取り付け穴３ｈに装着する。必要時に安全掴まり補助具１を使用頻度の高い場所である取り付け穴３ｄ〜３ｆ（ベッド１の頭部側から３番目ないし６番目）に移して装着すればよい。また、ベッド１の頭部側に最も近い取り付け穴３ａに装着すれば、点滴用スタンドと��ても使用することができる。【００３４】  図４は、本考案の安全掴まり補助具の第２の実施形態を示す。図４において、球状弾性体１２は、支柱１１の昇降部材１１ｂに環装されており、昇降部材１１ｂに取り付けられた筒状体１３ａ（固定手段１３）によって高さ位置が固定されている。【００３５】  図４の安全掴まり補助具によると、支柱本体１１ａ側の操作つまみ１５を操作して昇降部材１１ｂを昇降させることにより、ベッド端からの球状弾性体１２の高さＨを調整することができる。【００３６】  図５は、本考案の安全掴まり補助具の第３の実施形態を示す。図５において、球状弾性体（図示せず）には着脱式の保護カバー１７が装着されている。保護カバー１７を取替えることにより衛生面で有利とすることができる。また、使用者各人がそれぞれ自分専用の保護カバー１７を使用するようにしてもよい。この保護カバー１７は外表面をフェルトで構成すると、肌触りがよい。また、保護カバー１７を蛍光色等に着色して使ってもよい。【００３７】  図６は、本考案の安全掴まり補助具の第４の実施形態を示す。第１の実施形態において、図１、図３に示すサイドフレーム２の各取り付け穴３ａ〜３ｈはいずれも同一径Ｄ０であり、各取り付け穴３ａ〜３ｈに本考案の安全掴まり補助具１０を装着した時の、球状弾性体１２の高さはその固定位置を変更しない限り、同一高さであった。【００３８】  図６に示すサイドフレーム２は、その取り付け穴３ｄ（径Ｄ０）の前後に、同取り付け穴３ｄより大径の取り付け穴３ｉ（径Ｄ１）、小径の取り付け穴３ｊ（径Ｄ２）が配置されている。これに応じて、安全掴まり補助具１０の支柱本体１１ａは、図示しないが先端にいくにしたがいテーパの付いた先細り形状とした。支柱本体１１ａの下端部には支柱本体１１ａの抜け止め用のストッパー（図示せず）があるとよい。【００３９】  図６のサイドフレーム２によると、球状弾性体１２の固定位置を変更することなく、支柱１１の挿入位置を取り付け穴３ｄ→取り付け穴３ｉ→取り付け穴３ｊに順次切り替えることにより、球状弾性体１２の高さを中→低→高に切り替えることができる。これにより、使用者の身長、体躯や、使用目的に応じて、安全掴まり補助具１０の装着位置を切り替えるだけで、球状弾性体１２の高さを簡単に切り替えることができる。
【実施例】
【００４０】  本考案者は、球状弾性体１２として弾性力のあるボール（硬式テニスボール、直径約６．５ｃｍ）を準備した。まず、ボールにカッター、ハサミなどで十字に切れ目を入れ、支柱１１の支柱本体１１ａにボールを差し込んだ。このときの切れ目の長さは、支柱本体１１ａの太さより０．５〜０．７ｍｍ小さくした。ボールの高さ位置を調整して、ボール直下の支柱本体１１ａの周囲に密着テープを３周巻いてボールの固定手段とした。なお、密着テープを３〜５周巻けば２、３ｍｍ程度の段差が形成できる。最後に支柱本体１１ａに上方から昇降部材１１ｂを挿入し操作つまみ１４を締めて固定した。【００４１】  本考案者は、出来上がった安全掴まり補助具１０について、安全性を確保するため以下の加重負荷試験を行った。まず、９ｋｇの砂ぶくろをベッド１のサイドフレーム２の取り付け穴３ｄに装着した状態で、安全掴まり補助具１０のボールに前記袋を掛け、３０分毎に合計２．５時間、ボールのずれを確認した。２．５時間経過後もボールのずれは生じなかった。通常の入院患者や高齢者による加重負荷は２〜９ｋｇ程度と想定されるので、安全性を確保することができることを確認することができた。
【図面の簡単な説明】
【００４２】
【図１】本考案の安全掴まり補助具の設置状態を示す斜視図である。
【図２】本考案の安全掴まり補助具の使用状態を示す斜視図である。
【図３】ベッドのサイドフレームの取り付け穴の位置を示す平面図である。
【図４】本考案の安全掴まり補助具の要部を示す斜視図である。
【図５】保護カバーの装着状態を示す斜視図である。
【図６】ベッドのサイドフレームの取り付け穴を示す平面図である。
【符号の説明】
【００４３】１  ベッド
２  サイドフレーム
３（３ａ、３ｂ、３ｃ、３ｄ、３ｅ、３ｆ、３ｇ、３ｈ、３ｉ、３ｊ）  取り付け穴
１０  安全掴まり補助具
１１  支柱
１１ａ  支柱本体
１１ｂ  昇降部材
１２  球状の弾性体
１３  固定手段
【図１】
0003108176.tif 000003
【図２】
0003108176.tif 000004
【図３】
0003108176.tif 000005
【図４】
0003108176.tif 000006
【図５】
0003108176.tif 000007
【図６】
0003108176.tif 000008